(57)【要約】【課題】消泡材を消泡フレームに接着剤を用いることなく簡単に取り付ける。【解決手段】ハウジング１０内に消泡フレーム４０が収納され、消泡フレーム内に消泡材５０が設けられている。血液は、ハウジングの上部に設けられた血液流入ポート２１，２２を介して消泡フレーム内に流入し、消泡フレームに設けられた濾過網４７を通過してハウジングの下部に設けられた血液流出ポート１３へ流れる。消泡材５０は第１耳部５３ａを備え、消泡フレーム４０は係止部４３を備える。第１耳部５３ａを係止部４３に係止することにより消泡材５０が消泡フレーム４０に保持されている。【選択図】図４
2014183946.tif 000002
【特許請求の範囲】
【請求項１】
上部に血液流入ポートを有し、下端に血液流出ポートを有するハウジングと、
前記ハウジング内に収納された消泡フレームと、
前記消泡フレーム内に設けられた消泡材とを備え、
血液が、前記血液流入ポートを介して前記消泡フレーム内に流入し、前記消泡フレームに設けられた濾過網を通過して前記血液流出ポートへ流れるように構成された貯血槽であって、
前記消泡材は第１耳部を備え、
前記消泡フレームは係止部を備え、
前記第１耳部を前記係止部に係止することにより前記消泡材が前記消泡フレームに保持されていることを特徴とする貯血槽。
【請求項２】
前記消泡材は、前記消泡フレームの内壁面に沿って配置された側壁部を備え、
前記第１耳部は、前記側壁部から上方に向かって突出している請求項１に記載の貯血槽。
【請求項３】
前記側壁部は、前記消泡フレームの内壁面に沿って変形されて、前記消泡フレーム内に収納されている請求項２に記載の貯血槽。
【請求項４】
前記消泡材は、水平方向にほぼ沿って延びた水平部を更に備える請求項１〜３のいずれかに記載の貯血槽。
【請求項５】
前記消泡材は、前記水平部から突出した第２耳部を更に備え、
前記第２耳部は前記消泡フレームに設けられた係止部に係止されている請求項４に記載の貯血槽。
【請求項６】
前記第１耳部と前記第２耳部とが共通する係止部に係止されている請求項５に記載の貯血槽。
【請求項７】
前記消泡材は連続する単一の材料からなる請求項１〜６のいずれかに記載の貯血槽。
【発明の詳細な説明】
【技術分野】
【０００１】
本発明は、心肺手術等を行う際に使用される体外血液循環回路において、体外循環中の血液を一時的に貯留する貯血槽に関する。
【背景技術】
【０００２】
心臓手術等を行う場合、患者の心臓や肺の機能を代替するための血液ポンプや人工肺を備えた体外血液循環回路が用いられる。体外血液循環回路には、患者の静脈から脱血された静脈血を一時的に貯留して循環回路血液量を調整するための貯血槽（「静脈血貯血槽」と呼ばれることがある）や、術野に溢れた血液（「心内血」と呼ばれることがある）を吸引して回収して一時的に貯留するための貯血槽（「心内血貯血槽」と呼ばれることがある）が設けられる。心内血は、静脈血に比べて、肉片、脂肪、凝血塊などの異物や気泡を多く含むので、心内血貯血槽には、異物を除去するためのフィルタと気泡を消泡（破泡）するための消泡材とからなるカーディオトミー部が設けられる。静脈血と心内血とを共通する貯血槽（「心内血貯血槽一体型静脈血貯血槽」と呼ばれることがある）に貯留することも広く行われている。
【０００３】
特許文献１，２には、心内血と静脈血とが流入する心内血貯血槽一体型静脈血貯血槽が記載されている。この貯血槽は、ハウジング内に、消泡フレームが配置され、更に消泡フレーム内にカーディオトミー部が配置されている。心内血は、カーディオトミー部内に流入し、カーディオトミー部のフィルタを通過し、消泡フレームに設けられた濾過網（フィルタ）を通過した後、貯血槽の下端の流出ポートから貯血槽外に流出する。一方、静脈血は、カーディオトミー部を通過することなく消泡フレーム内に流入し、消泡フレームに設けられた濾過網（フィルタ）を通過した後、貯血槽の下端の流出ポートから貯血槽外に流出する。
【０００４】
カーディオトミー部から消泡フレーム内に流入した心内血が、依然として気泡を含んでいる場合がある。また、静脈血中にも、気泡が混入していることがある。気泡が混入した血液が患者の体内にもどると、気泡塞栓によって脳卒中などの重篤な症状を引き起こすことがある。従って、従来の心内血貯血槽一体型静脈血貯血槽では、静脈血が流入する消泡フレーム内にも消泡材が設けられていた。
【０００５】
図１０は、従来の心内血貯血槽一体型静脈血貯血槽において、消泡材９５０を消泡フレーム９４０内に固定する方法を説明する斜視図である。消泡材９５０は、略矩形状のポリウレタンフォームの両端辺を接続部９５７にて環状に接続した筒状体である。消泡フレーム９４０の略「コ」字状の枠状部９４５の上部には保持バー９４４が架け渡されている。消泡材９５０を、枠状部９４５と保持バー９４４とで囲まれた略矩形の枠内に挿入し、枠状部９４５の内面に付与した接着剤９４３を用いて消泡材９５０を枠状部９４５に固定する。枠状部９４５には複数の開口が形成されている。濾過網（フィルタ）９４７が各開口を塞ぐように、枠状部９４５に保持されている。
【０００６】
消泡フレーム９４０内において、血液に混入した気泡は血液面上に浮上する。時間の経過とともに、血液面上の気泡の数が増え、血液面上で気泡が上方に向かって盛り上がる。ところが、気泡は、消泡材９５０に接触すると破泡してしまう。従って、消泡フレーム９４０内の気泡の高さを一定レベル以下に保つことができる。
【先行技術文献】
【特許文献】
【０００７】
【特許文献１】特開２００９−７７７７８号公報
【特許文献２】特開２０１０−１６２２０７号公報
【発明の概要】
【発明が解決しようとする課題】
【０００８】
しかしながら、図１０に示した従来の貯血槽は、消泡材９５０を接着剤９４３を用いて消泡フレーム９４０に固定するので、以下の課題を有している。
【０００９】
第１に、消泡材９５０を消泡フレーム９４０に接着剤９４３を用いて固定するための工数が大きい。即ち、消泡フレーム９４０に接着剤９４３を付与する必要がある。また、接着剤９４３が硬化するまでの間、消泡材９５０が位置ずれしなうように消泡材９５０を保持する必要がある。従って、消泡材９５０を消泡フレーム９４０に固定するための作業が繁雑で、しかも長時間を要する。
【００１０】
第２に、貯血槽内の血液面が何らかの理由で異常上昇すると、気泡や血液が接着剤９４３に接触する可能性がある。血液が異物に接触する可能性は、最小限にとどめることが望まれる。
【００１１】
本発明は、上記の従来の貯血槽の課題を解決するものであり、消泡材を消泡フレームに接着剤を用いることなく簡単に取り付けることができる、組み立ての容易な貯血槽を提供することを目的とする。
【課題を解決するための手段】
【００１２】
本発明の貯血槽は、上部に血液流入ポートを有し、下端に血液流出ポートを有するハウジングと、前記ハウジング内に収納された消泡フレームと、前記消泡フレーム内に設けられた消泡材とを備える。前記貯血槽は、血液が、前記血液流入ポートを介して前記消泡フレーム内に流入し、前記消泡フレームに設けられた濾過網を通過して前記血液流出ポートへ流れるように構成されている。前記消泡材は第１耳部を備える。前記消泡フレームは係止部を備える。前記第１耳部を前記係止部に係止することにより前記消泡材が前記消泡フレームに保持されている。
【発明の効果】
【００１３】
本発明の貯血槽では、消泡材の第１耳部を消泡フレームに設けられた係止部に係止することにより、消泡材は消泡フレームに保持されている。従って、接着剤を用いることなく、消泡材を消泡フレームに簡単に取り付けることができる。これにより、本発明の貯血槽は、組み立てが容易である。
【図面の簡単な説明】
【００１４】
【図１】図１は、本発明の実施形態１に係る貯血槽の概略構成を示した斜視図である。
【図２】図２は、本発明の実施形態１に係る貯血槽の側面断面図である。
【図３】図３は、本発明の実施形態１に係る貯血槽に内装される消泡フレームの斜視図である。
【図４】図４は、本発明の実施形態１に係る貯血槽において、消泡材が装着された消泡フレームの斜視図である。
【図５Ａ】図５Ａは、本発明の実施形態１に係る貯血槽において、消泡材を消泡フレームに装着する直前の状態を示した斜視図である。
【図５Ｂ】図５Ｂは、本発明の実施形態１に係る貯血槽において、消泡材を消泡フレームに装着する途中の状態を示した斜視図である。
【図６】図６は、本発明の実施形態２に係る貯血槽に使用される消泡材の斜視図であって、消泡フレームに装着される前の状態を示す。
【図７】図７は、本発明の実施形態３に係る貯血槽に使用される消泡材の斜視図であって、消泡フレームに装着される前の状態を示す。
【図８】図８は、本発明の実施形態４に係る貯血槽に使用される消泡材の斜視図であって、消泡フレームに装着される前の状態を示す。
【図９】図９は、本発明の実施形態５に係る貯血槽に使用される消泡材の斜視図であって、消泡フレームに装着される前の状態を示す。
【図１０】図１０は、従来の心内血貯血槽一体型静脈血貯血槽において、消泡材を消泡フレーム内に固定する方法の一例を示した斜視図である。
【発明を実施するための形態】
【００１５】
上記の本発明の貯血槽において、前記消泡材は、前記消泡フレームの内壁面に沿って配置された側壁部を備えていてもよい。この場合、前記第１耳部は、前記側壁部から上方に向かって突出していてもよい。これにより、既存の消泡フレームに大幅な設計変更を加えることなく、第１耳部を係止する係止部を消泡フレームに設けることができる。
【００１６】
上記において、前記側壁部は、前記消泡フレームの内壁面に沿って変形されて、前記消泡フレーム内に収納されていることが好ましい。例えば、側壁部は、消泡フレームの内壁面に沿って、略「コ」字形状、略円弧状、または略「Ｕ」字形状に変形されていることが好ましい。これは、側壁部の形状保持性を向上させるので、所望する消泡特性を安定的に得るのに有利である。また、特に大容量（大型）の貯血槽において消泡特性を向上させるのに有利である。
【００１７】
前記消泡材は、水平方向にほぼ沿って延びた水平部を更に備えることが好ましい。これは、消泡フレーム内で気泡が異常に増加するのを防止するのに有利である。
【００１８】
上記において、前記消泡材は、前記水平部から突出した第２耳部を更に備えてもよい。この場合、前記第２耳部は前記消泡フレームに設けられた係止部に係止されていることが好ましい。これにより、消泡フレームに蓋体をかぶせていなくても、水平部を水平方向と略方向に配置することができる。これは、消泡材が水平部を備えている場合に、貯血槽の組み立てを容易にするのに有利である。
【００１９】
前記第１耳部と前記第２耳部とが共通する係止部に係止されていることが好ましい。これは、消泡フレームの設計を容易にするのに有利である。
【００２０】
前記消泡材は連続する単一の材料からなることが好ましい。これにより、シート状の原反から切り出して消泡材を作製することができる。これは、消泡材の作製を簡単化するのに有利である。
【００２１】
以下に、本発明を好適な実施形態を示しながら詳細に説明する。但し、本発明は以下の実施形態に限定されないことはいうまでもない。以下の説明において参照する各図は、説明の便宜上、本発明の実施形態を構成する部材のうち、本発明を説明するために必要な主要部材のみを簡略化して示したものである。従って、本発明は以下の各図に示されていない任意の部材を備え得る。また、以下の各図では、実際の部材の寸法および各部材の寸法比率等は忠実に表されていない。
【００２２】
＜実施形態１＞
（貯血槽の全体構成）
図１は本発明の実施形態１に係る貯血槽１の概略構成を示した斜視図、図２はその側面断面図である。この貯血槽１は、静脈血と心内血とを貯留させる心内血貯血槽一体型静脈血貯血槽である。以下の説明において「上」、「下」、「水平方向」は、貯血槽１の実際の使用状態を基準に定義される。
【００２３】
貯血槽１は、ハウジング本体１１とハウジング本体１１の上部に載置された蓋体１６とからなるハウジング１０を備える。
【００２４】
ハウジング本体１１は、その中心から外れた一部が下方に突出した貯血部１２と、貯血部１２の下端に設けられた、血液が流出する血液流出ポート１３とを備える。ハウジング本体１１の下面には、手術室に立設された支柱の上端を挿入することで貯血槽１を保持するための固定用穴１４が形成されている。
【００２５】
蓋体１６には、貯血槽１内に血液を流入させるための複数の血液流入ポートが設けられている。血液流入ポートは、心内血が流入する複数の心内血流入ポート２１と、静脈血が流入する静脈血流入ポート２２とを含む。更に、蓋体１６には、薬液等を血液に混入するための複数の薬液注入ポート２３，２４、緊急に大量の薬液を血液に混入させたり、カーディオトミー部３０の心内血フィルタ３１が目詰まりにより使用できなくなった場合に代替のカーディオトミー部を通過させた血液を流入させたりするためのサービスポート２５、貯血槽１内の圧力を調整するための排気ポート２６、貯血槽１内の圧力が異常な陽圧又は陰圧になるのを防止するための圧力調整弁２７等が設けられている。静脈血流入ポート２２には、静脈血の温度を測定するための温度プルーブ２８が挿入されている。
【００２６】
静脈血流入ポート２２には体外血液循環回路の脱血ラインのチューブが接続され、心内血流入ポート２１には心内血吸引ラインのチューブが接続される。血液流出ポート１３には体外血液循環回路の送血ラインのチューブが接続される。薬液注入ポート２３，２４には所定の薬液容器に接続された薬液注入ラインのチューブが接続される。薬液注入ポート２３から流入した薬液はカーディオトミー部３０を通過せずに貯血部１２に流入し、薬液注入ポート２４から流入した薬液はカーディオトミー部３０を通過した後、貯血部１２に流入する。サービスポート２５には各種ラインのチューブが接続される。温度プルーブ２８には温度計測機器と接続された電気配線が接続される。
【００２７】
ハウジング１０内には、濾過網４７を保持する消泡フレーム４０が収納されている。消泡フレーム４０の上部には、消泡材５０が保持されている。図３は、消泡材５０が取り付けられる前の消泡フレーム４０を示した斜視図である。消泡フレーム４０は、略升形状を有するカップ状部４１と、カップ状部４１の一側面に形成された格子状フレームからなる枠状部４５とを備えている。枠状部４５は、ハウジング本体１１の貯血部１２内に挿入されるように、カップ状部４１よりも下方に延びている。枠状部４５の側面には、枠状部４５の上下方向の全範囲にわたって格子状に開口が形成されている。枠状部４５の開口を塞ぐように、濾過網４７が枠状部４５に固定保持されている。図２、図３において多数のドットを付した領域が、濾過網４７を示す。枠状部４５の下端は、血液流出ポート１３近傍にまで達している（図２参照）。枠状部４５の上端４５ａは、カップ状部４１の上端よりわずかに低い。一対の係止部４３が、カップ状部４１の上端から枠状部４５の側に向かって水平方向に突出している。係止部４３に対向する係止突起４４が、枠状部４５の上端４５ａから上方に向かって突出している。消泡フレーム４０が、図１０に示した従来の消泡フレーム９４０に設けられていた保持バー９４４と同様の保持バーを備えていてもよい。
【００２８】
濾過網４７は、血液が濾過網４７を通過する際に血液中の異物や気泡を除去するフィルターとしての機能を有している。濾過網４７の構成及び材料に特に制限はなく、公知のものを適宜選択して使用することができる。例えば、濾過網４７として多数の微細な開口を有するスクリーンフィルタを用いることができる。濾過網４７に、消泡剤（例えばシリコーンなど）をコーティングして気泡の消泡機能を付与してもよい。
【００２９】
図２にもどり、静脈血流入ポート２２と静脈血導管２９の上端とが蓋体１６を介して接続されている。静脈血導管２９は、カーディオトミー部３０の下端とカップ状部４１の底面との間を通ってカップ状部４１から枠状部４５へと消泡フレーム４０の内側を案内され、その下端の開口は、貯血槽１の最低血液面レベルＬよりも下側に位置している。
【００３０】
カーディオトミー部３０が、心内血流入ポート２１の下側に設けられている。
【００３１】
カーディオトミー部３０は、略袋形状（または、コーヒー抽出の際に使用される紙製のコーヒーフィルタに類似した形状）を有する心内血フィルタ３１と、フィルタ３１の内側に配置された心内血消泡材３２とを備える。
【００３２】
心内血フィルタ３１は、血液（心内血）が心内血フィルタ３１を通過する際に血液中の異物を捕捉して除去する機能を有している。更に、気泡を捕捉する機能を有していても良い。心内血フィルタ３１としては、特に制限はないが、例えば、ポリエステル、ナイロン、ポリプロピレンなどの樹脂材料からなるメッシュフィルタなど、カーディオトミー部として公知のフィルタ材を用いることができる。心内血フィルタ３１の孔径は、特に制限はないが、２０〜５０μｍが好ましい。心内血フィルタ３１に消泡剤（例えばシリコーン）をコーティングして気泡の消泡機能を付与しても良い。
【００３３】
心内血消泡材３２は、略袋形状を有し、心内血フィルタ３１内に配置されている。心内血消泡材３２としては、心内血消泡材３２に接触した気泡を破泡させる消泡機能を有していることが好ましく、また、外力を加えることにより容易に変形することができる可撓性及び柔軟性と、当該外力を取り除くと初期形状に復帰するクッション性（形状復帰性）とを有することが好ましい。心内血消泡材３２として、カーディオトミー部に使用される公知の消泡材料を任意に選択して使用することができる。例えば、基層としてのポリウレタンの表面に消泡剤としてのシリコーンがコーティングされた材料を用いることができる。また、基層の形態は、連続気泡を有する発泡体、織物、編み物、不織布などであってもよい。好ましくは、軟質のポリウレタンフォームにシリコーンをコーティングした材料を用いることができる。本実施形態１では、心内血消泡材３２は、上側が二重構造で、下側が単層構造の、半二重構造を有している。
【００３４】
心内血フィルタ３１の上端と心内血消泡材３２の上端とは、樹脂板３３に固定されている。樹脂板３３の材料は特に制限はないが、例えばポリウレタンなどの接着剤を用いることができる。心内血フィルタ３１及び心内血消泡材３２を保持する樹脂板３３は蓋体１６の下面に固定される。樹脂板３３の中央に開口（貫通穴）が形成されている。この開口に、心内血流入ポート２１と連通した心内血導管３６と、薬液注入ポート２４と連通した薬液導管３７とが挿入されている。
【００３５】
蓋体１６を消泡フレーム４０上にかぶせることにより、蓋体１６に保持されたカーディオトミー部３０は、消泡フレーム４０内に配置される。
【００３６】
貯血槽１内の血液の流れを簡単に説明する。
【００３７】
図２において、患者の術野から吸引された心内血は、心内血流入ポート２１及び心内血導管３６を順に通過してカーディオトミー部３０内に流入する。心内血に混入していた気泡は、血液面上に浮上するが、心内血消泡材３２に接触すると破泡する。カーディオトミー部３０内の心内血は、心内血消泡材３２及び心内血フィルタ３１を順に通過して、消泡フレーム４０内に流入する。この際、心内血に含まれる肉片、脂肪、凝血塊などの異物や気泡は、心内血フィルタ３１で捕捉される。
【００３８】
一方、患者の静脈から脱血された静脈血は、静脈血流入ポート２２及び静脈血導管２９を順に通過して、静脈血導管２９の下端の開口から消泡フレーム４０内に流入する。
【００３９】
心内血及び静脈血は、消泡フレーム４０内で混合され、濾過網４７を通過して、血液流出ポート１３を通って貯血槽１外に流出する。
【００４０】
この過程で、血液は、その血液面が最低血液面レベルＬより上になるように、貯血部１２内に一時的に貯留される。
【００４１】
心内血は、相対的に多くの気泡を含む。上述したように、心内血に含まれる気泡の多くは、カーディオトミー部３０内の心内血消泡材３２に接触して破泡する。しかしながら、その一部は、心内血とともにカーディオトミー部３０外に流出することがある。また、静脈血もわずかに気泡を含む場合がある。従って、消泡フレーム４０内において、血液面上に気泡が浮上し、その数が増えて、血液面上で上方に向かって気泡が盛り上がるように成長することがある。しかしながら、消泡フレーム４０内の上方に消泡材５０が取り付けられている。従って、気泡は、消泡材５０に接触すると破泡してしまう。かくして、消泡フレーム４０内で、気泡が一定高さ以上に盛り上がるのが防止される。
【００４２】
（消泡材の説明）
消泡フレーム４０内に設けられる消泡材５０について説明する。
【００４３】
図４は、消泡材５０が装着された消泡フレーム４０の斜視図である。
【００４４】
消泡材５０は、枠状部４５の内壁面に沿って上下方向にほぼ沿って延びる側壁部５１と、側壁部５１の上端に連続し水平方向にほぼ沿って延びる水平部５２とを備えている。
【００４５】
消泡材５０の材料としては、消泡材５０に接触した気泡を破泡させる消泡機能を有していることが好ましく、また、外力を加えることにより容易に変形することができる可撓性及び柔軟性と、当該外力を取り除くと初期形状に復帰するクッション性（形状復帰性）とを有することが好ましい。消泡材５０として、貯血槽に設けられる消泡材として公知の材料を用いることができる。例えば、基層としてのポリウレタンの表面に消泡剤としてのシリコーンがコーティングされた材料を用いることができる。また、基層の形態は、連続気泡を有する発泡体、織物、編み物、不織布などをであってもよい。好ましくは、軟質のポリウレタンフォームにシリコーンをコーティングした材料を用いることができる。カーディオトミー部３内に装着される心内血消泡材３２と同じ材料であってもよい。
【００４６】
消泡材５０を消泡フレーム４０に装着する方法を説明する。
【００４７】
図５Ａは、消泡材５０を消泡フレーム４０に装着する直前の状態を示した斜視図である。図５Ａに示すように、最初に、消泡フレーム４０（図３参照）と消泡材５０とを用意する。
【００４８】
消泡材５０は、水平方向に延びた側壁部５１と、側壁部５１から上方に向かって延びた水平部５２とを有し、これらが略「Ｔ」字状に接続されている。側壁部５１の上端縁５１ａから一対の第１耳部５３ａが上方に向かって突出している。第１耳部５３ａは、水平部５２を挟んで配置されている。水平部５２の側壁から一対の第２耳部５３ｂが水平方向に向かって突出している。本例では、第１耳部５３ａ及び第２耳部５２ｂは、いずれも楔形状を有し、斜めに形成された切り込み（スリット）５４を介して互いに隣接している。但し、第１耳部５３ａ及び第２耳部５２ｂの形状はこれに限定されず、任意である。消泡材５０は、連続する単一の材料からなる。例えば略一定の厚さを有する原反シート（例えばポリウレタンフォーム）から所定形状に切り出すことにより消泡材５０を作製することができる。
【００４９】
次に、消泡材５０の側壁部５１を枠状部４５の内壁面に沿うように略「コ」字形状に折り曲げて（湾曲させて）、側壁部５１を枠状部４５内に上方から挿入する。そして、図５Ｂに示すように、側壁部５１から突出した第１耳部５３ａを、消泡フレーム４０の係止部４３と枠状部４５の上端４５ａ（図３、図５Ａ参照）との間に挿入して係止する。
【００５０】
次に、水平部５２が水平面と略平行になるように、水平部５２をカップ状部４１側に折り曲げる。そして、水平部５２の両側壁から突出した第２耳部５３ｂを、消泡フレーム４０の係止部４３と枠状部４５の上端４５ａ（図３、図５Ａ参照）との間に挿入して係止する。かくして、図４に示すように、消泡材５０は消泡フレーム４０に保持される。
【００５１】
以上のように、本実施形態１によれば、消泡材５０の耳部５３ａ，５３ｂを消泡フレーム４０に設けられた係止部４３に係止することにより、消泡材５０は消泡フレーム４０に保持される。消泡材５０を消泡フレーム４０に固定するためには、消泡材５０を所望する形状に折り曲げて、その耳部５３ａ，５３ｂを係止部４３に係止するだけでよい。消泡材５０を消泡フレーム４０に固定するために、接着剤は不要である。従って、消泡材９５０を消泡フレーム９４０に接着剤を用いて固定していた従来の貯血槽（図１０参照）に比べて、本実施形態１では、消泡材５０を消泡フレーム４０に固定する作業は極めて簡単で、熟練を要さず誰でも短時間で行うことができる。
【００５２】
また、接着剤を用いないので、消泡フレーム４０内の血液面が何らかの理由で異常上昇しても、従来の貯血槽（図１０参照）のように血液や気泡が接着剤に接触する可能性は皆無である。従って、本発明の貯血槽１は安全性に優れる。
【００５３】
図５Ａに示されているように、係止部４３に係止される第１耳部５３ａは側壁部５１の上端縁５１ａから上方に向かって突出している。また、第２耳部５３ｂを備えた水平部５２は、側壁部５１の上端縁５１ａから上方に向かって突出している。これらにより、耳部５３ａ，５３ｂを係止するための係止部４３を、消泡フレーム４０の上端に設けることができる。その結果、従来の貯血槽に用いられていた消泡フレームにわずかな設計変更を加えるだけで、消泡フレームに係止部４３を設けることができる。
【００５４】
一方、図１０に示した従来の消泡フレーム９４０に設けられていた保持バー９４４は、本実施形態１の消泡フレーム４０では省略することができる。省略した場合には、保持バー９４４を消泡フレームに取り付ける工程が不要になる。
【００５５】
消泡材５０の側壁部５１は略「コ」字形状に折り曲げられる（湾曲される）ので、側壁部５１が折り曲げも湾曲もされずに単一の平板形状を有する場合に比べて、側壁部５１の形状保持性が向上する。側壁部５１の上端縁５１ａから突出した第１耳部５３ａを係止部４３に係止すると、枠状部４５の内壁面に沿った側壁部５１の略「コ」字形状は維持される。従って、貯血槽１の使用中に血液やその気泡が側壁部５１に接触しても、側壁部５１の略「コ」字形状は維持され続ける。これは、所望する消泡特性を安定的に得るのに有利である。
【００５６】
また、側壁部５１の略「コ」字形状がカーディオトミー部３０に向かって開口しているので、貯血槽１の組み立ての際に、側壁部５１がカーディオトミー部３０に衝突する可能性が低い。これは、貯血槽１の組み立ての容易化に有利である。
【００５７】
更に、側壁部５１が略「コ」字形状を有しているので、従来の筒状の消泡材９５０（図１０参照）に比べて、血液面上を移動する気泡が側壁部５１に接触する可能性が高い。従って、消泡特性に優れる。これは、特に大人用のように大容量（大型）の貯血槽において消泡特性を向上させるのに有利である。
【００５８】
消泡フレーム４０内で血液面上で盛り上がった気泡のうち側壁部５１から水平方向に離れた位置にある気泡は、側壁部５１に接触することはない。このような気泡が血液面上で上方に向かって盛り上がる場合があるかも知れない。本実施形態１では、消泡材５０が水平部５２を有している。図２から容易に理解できるように、水平部５２は、枠状部４５の上方の空間を塞ぐように配置されている。従って、側壁部５１には接触することがない気泡のほとんどは水平部５２に接触して破泡してしまう。このように、本実施形態１の貯血槽１は、消泡フレーム４０内での気泡の異常増加を防止するのに有利である。
【００５９】
消泡材５０が連続する単一の材料から構成されているので、上述したように、消泡材５０は原反シートから所定形状に切り出すことにより作製することができる。例えば、原反シートからプレス金型で消泡材５０を打ち抜くことにより、消泡材５０を容易に得ることができる。従って、消泡材５０の作製が容易であり、消泡材５０を安価に提供することができる。
【００６０】
枠状部４５の上端４５ａに、係止部４３に向かって係止突起４４が突出している。耳部５３ａ，５３ｂを、係止突起４４よりもカップ状部４１側で係止部４３に係止する。これにより、耳部５３ａ，５３ｂが係止部４３から意図せずに外れるのを、係止突起４４が防止する。これは、貯血槽１の組み立てを容易にするのに有利である。
【００６１】
＜実施形態２＞
本発明の実施形態２に係る貯血槽は、消泡フレーム４０に装着される消泡材に関して実施形態１と異なる。以下、実施形態１と異なる点を中心に、本実施形態２を説明する。
【００６２】
図６は、本実施形態２に係る貯血槽に使用される消泡材６０の斜視図であって、消泡フレーム４０に装着される前の状態を示す。図６に示すように、消泡フレーム４０に装着される前の消泡材６０は、略矩形形状を有している。上側の長辺の両端から対角線にほぼ沿って斜めに一対の切り込み（スリット）６４が形成されている。図５Ａに示した実施形態１の消泡材５０と同様に、切り込み６４を介して第１耳部６３ａと第２耳部６３ｂとが隣接している。一対の切り込み６４の終端（最深部）を結ぶ直線より下側の部分が側壁部６１であり、一対の第２耳部６３ｂで挟まれた部分が水平部６２である。
【００６３】
この消泡材６０は、図５Ａに示した実施形態１の消泡材５０と同様に、消泡フレーム４０に取り付けることができる。即ち、側壁部６１を略「コ」字状に折り曲げて枠状部４５に挿入し、第１耳部６３ａを係止部４３に係止する。次いで、水平部６２が水平面と略平行になるように水平部６２をカップ状部４１側に折り曲げて、第２耳部６３ｂを係止部４３に係止する。かくして、側壁部６１が枠状部４５の内壁面に沿って上下方向にほぼ沿って配置され、水平部６２が側壁部６１の上端から水平方向にほぼ沿って配置される。
【００６４】
消泡材６０は図６に示すように略矩形形状を有するので、原反シートから切り出して消泡材６０を作製する場合に、原反シートのうち廃棄される部分を少なくすることができる。よって、原反シートの利用効率が高まる。
【００６５】
本実施形態２は、上記を除いて実施形態１と同じであり、実施形態１と同様の効果を奏する。
【００６６】
＜実施形態３＞
本発明の実施形態３に係る貯血槽は、消泡フレーム４０に装着される消泡材に関して実施形態１と異なる。以下、実施形態１と異なる点を中心に、本実施形態３を説明する。
【００６７】
図７は、本実施形態３に係る貯血槽に使用される消泡材７０の斜視図であって、消泡フレーム４０に装着される前の状態を示す。図７に示すように、消泡材７０は、図５Ａに示した実施形態１の消泡材５０から水平部５２及び第２耳部５３ｂを省略した形状を有している。即ち、消泡材７０は、水平方向に延びた略矩形状の側壁部７１と、側壁部７１の上端縁７１ａから上方に向かって突出した一対の耳部（第１耳部）７３ａとを備える。
【００６８】
この消泡材７０は、側壁部７１を略「コ」字状に折り曲げて枠状部４５に挿入し、耳部７３ａを係止部４３に係止することによって、消泡フレーム４０に取り付けられる。かくして、側壁部７１が枠状部４５の内壁面に沿って上下方向にほぼ沿って配置される。
【００６９】
消泡材７０は、実施形態１の消泡材５０の水平部５２に相当する部分を有していないので、水平部５２による消泡機能を有しない。
【００７０】
本実施形態３は、上記を除いて実施形態１と同じであり、実施形態１と同様の効果を奏する。
【００７１】
図６に示す実施形態２の消泡材６０から水平部６２及び第２耳部６３ｂを省略して本実施形態３の消泡材７０と類似した形状の消泡材を作製することもできる。その消泡材を用いて本発明の貯血槽を構成することができる。
【００７２】
＜実施形態４＞
本発明の実施形態４に係る貯血槽は、消泡フレーム４０に装着される消泡材に関して実施形態１と異なる。以下、実施形態１と異なる点を中心に、本実施形態４を説明する。
【００７３】
図８は、本実施形態４に係る貯血槽に使用される消泡材８０の斜視図であって、消泡フレーム４０に装着される前の状態を示す。図８に示すように、消泡材８０は、側壁部８１が接続部８７にて環状に接続されている。即ち、消泡材８０は、図５Ａに示した実施形態１の消泡材５０の側壁部５１を水平方向に延長し、その末端同士を接続したものに相当する。接続部８７での側壁部８１の末端同士の接続方法は特に制限はなく、熱溶着法（いわゆるヒートシール法）、縫合法、接着法など任意の方法を用いうるが、熱溶着法が接着剤などの異物を用いることなく簡易に接続することができるので好ましい。図８では、接続部８７が外側に突出することがないように、接続部８７を形成した後、消泡材８０を裏返している。
【００７４】
この消泡材８０は、図５Ａに示した実施形態１の消泡材５０と同様に、消泡フレーム４０に取り付けることができる。即ち、環状の側壁部８１を枠状部４５に挿入し、第１耳部８３ａを係止部４３に係止する。次いで、水平部８２が水平面と略平行になるように水平部８２をカップ状部４１側に折り曲げて、第２耳部８３ｂを係止部４３に係止する。かくして、側壁部８１が枠状部４５の内壁面に沿って上下方向にほぼ沿って配置され、水平部８２が側壁部８１の上端から水平方向にほぼ沿って配置される。
【００７５】
本実施形態４は、上記を除いて実施形態１と同じであり、実施形態１と同様の効果を奏する。
【００７６】
上記の例では側壁部８１の水平方向の末端同士が接続部８７で接続されていたが、末端同士を接続することなく、上方から見たとき側壁部８１が略「Ｃ」字形状に湾曲して枠状部４５内に配置されていてもよい。
【００７７】
実施形態３の消泡材７０（図７参照）と同様に、本実施形態４の消泡材８０において、水平部８２及び第２耳部８３ｂを省略することができる。
【００７８】
＜実施形態５＞
本発明の実施形態５に係る貯血槽は、消泡フレーム４０に装着される消泡材に関して実施形態１と異なる。以下、実施形態１と異なる点を中心に、本実施形態５を説明する。
【００７９】
図９は、本実施形態５に係る貯血槽に使用される消泡材９０の斜視図であって、消泡フレーム４０に装着される前の状態を示す。図９に示すように、消泡材９０は、図５Ａに示した実施形態１の消泡材５０から第２耳部５３ｂを省略した形状を有している。即ち、消泡材９０は、水平方向に延びた略矩形状の側壁部９１と、側壁部９１の上端縁９１ａから上方に向かって突出した水平部９２及び一対の耳部（第１耳部）９３ａとを備える。
【００８０】
この消泡材９０は、側壁部９１を略「コ」字状に折り曲げて枠状部４５に挿入し、耳部９３ａを係止部４３に係止することによって、消泡フレーム４０に取り付けられる。側壁部９１は枠状部４５の内壁面に沿って上下方向にほぼ沿って配置される。図５Ａに示した実施形態１の消泡材５０と異なり、消泡材９０の水平部９２は、耳部（第２耳部）を備えていない。消泡材９０を取り付けた消泡フレーム４０に蓋体１６（図２参照）をかぶせるときに、水平部９２をカップ状部４１側に折り曲げて水平部９２を蓋体１６の下面で押さえる。これにより、水平部９２を水平方向にほぼ沿って配置することができる。
【００８１】
本実施形態５は、上記を除いて実施形態１と同じであり、実施形態１と同様の効果を奏する。
【００８２】
上述した実施形態２の消泡材６０（図６参照）において、本実施形態５の消泡材９０と同様に、水平部６２から突出した第２耳部６３ｂを省略してもよい。また、上述した実施形態４の消泡材８０（図８参照）において、本実施形態５の消泡材９０と同様に、水平部８２から突出した第２耳部８３ｂを省略してもよい。
【００８３】
上記の実施形態１〜５は例示にすぎない。本発明は、上記の実施形態１〜５に限定されず、適宜変更することができる。
【００８４】
第１耳部５３ａ，６３ａ，７３ａ，８３ａ，９３ａ及び第２耳部５３ｂ，６３ｂ，８３ｂを係止する係止部４３の形状は任意である。例えば、耳部が意図せずに係止部４３から外れるのを防止するために、係止部４３の下面に下方に向かって突出した突起が形成されていてもよい。係止部４３が、その弾性力によって、係止部４３に係止された耳部を枠状部４５の上端４５ａに向かって押し付けて保持してもよい。
【００８５】
第１耳部５３ａ，６３ａ，７３ａ，８３ａ，９３ａを係止するための係止部と、第２耳部５３ｂ，６３ｂ，８３ｂを係止するための係止部とは、上記の実施形態のように同一部材である必要はなく、異なっていてもよい。但し、同一部材であることは、消泡フレーム４０や消泡フレーム４０を成形するための金型の設計が容易になるので好ましい。
【００８６】
枠状部４５の上端４５ａ上の係止突起４４を省略してもよい。
【００８７】
消泡フレーム４０の枠状部４５内に収納された側壁部の平面視形状は、上記の実施形態に限定されない。例えば枠状部４５の内壁面が略円筒面であれば、消泡材の側壁部は枠状部の当該内壁面に沿って略円弧状または略「Ｕ」字形状に湾曲され得る。本発明は、側壁部が略円弧状、略「Ｕ」字形状等様々な形状に変形した場合をも含み、その場合にも上記の実施形態と同様の効果を奏する。
【００８８】
本発明の貯血槽の構成は、消泡フレームと、これに取り付けられる消泡材とを除いて任意である。
【００８９】
カーディオトミー部３０は、上記以外の任意の構成を備えうる。例えば、カーディオトミー部の心内血フィルタ及び心内血消泡材は、上記の実施形態のように略袋形状を有している必要はなく、例えば円筒形状を有していてもよい。
【００９０】
本発明の貯血槽は、カーディオトミー部を備えていなくてもよい。
【００９１】
本発明の貯血槽は、上述した貯血槽１のように静脈血と心内血とが流入する心内血貯血槽一体型静脈血貯血槽に限定されず、公知の如何なる貯血槽であっても良い。例えば、静脈血が流入せず心内血が流入する心内血貯血槽であってもよく、あるいは、心内血が流入しない静せず静脈血が流入する脈血貯血槽であっても良い。
【産業上の利用可能性】
【００９２】
本発明は、心肺手術等を行う際に使用される体外血液循環回路中に設けられる貯血槽として広く利用することができる。
【符号の説明】
【００９３】
１  貯血槽
１０  ハウジング
１３  血液流出ポート
２１  心内血流入ポート
２２  静脈血流入ポート
４０  消泡フレーム
４３  係止部
４７  濾過網
５０，６０，７０，８０，９０  消泡材
５１，６１，７１，８１，９１  側壁部
５２，６２，８２，９２  水平部
５３ａ，６３ａ，７３ａ，８３ａ，９３ａ  第１耳部
５３ｂ，６３ｂ，８３ｂ  第２耳部
【図１】
2014183946.tif 000003
【図２】
2014183946.tif 000004
【図３】
2014183946.tif 000005
【図４】
2014183946.tif 000006
【図５Ａ】
2014183946.tif 000007
【図５Ｂ】
2014183946.tif 000008
【図６】
2014183946.tif 000009
【図７】
2014183946.tif 000010
【図８】
2014183946.tif 000011
【図９】
2014183946.tif 000012
【図１０】
2014183946.tif 000013